(57)【要約】【解決手段】ネットワーク情報１−１〜１−ｎを有するインターネット回線２と、利用者が前記ネットワーク情報へアクセスする複数個の利用者端末装置３を有するＬＡＮ４と、上記インターネット回線２及び上記ＬＡＮ４に接続され、両者間の情報中継を行うアクセス中継装置５を含み、該アクセス中継装置５は、中継した情報を解析して共有アクセス情報を生成して参照先記憶部６へ格納し、上記複数個の利用者端末装置３は、共有アクセス情報を共同使用する。【効果】同一ＬＡＮ内の利用者Ａが、ネットワーク情報１−１〜１−ｎへ初めてアクセスする場合であっても同一ＬＡＮ内で利用者Ｂによって、よく利用されているネットワーク情報１−１〜１−ｎを知ることができる。【選択図】        図１
2004348516.tif 000002
【特許請求の範囲】
【請求項１】
ネットワーク情報を有する第一のネットワークと、利用者が前記ネットワーク情報へアクセスする複数個の利用者端末装置を有する第二のネットワークと、前記第一のネットワーク及び前記第二のネットワークに接続され、両ネットワーク間の情報中継を行うアクセス中継装置とを含む情報共有システムであって、
前記アクセス中継装置は、
前記両ネットワーク間で情報中継を行うアクセス中継手段と、前記中継した情報を解析して共有アクセス情報を生成するアクセス情報生成手段と、該共有アクセス情報を記憶する参照先記憶部と、検索要求端末装置からの検索要求を受信すると前記参照先記憶部を検索する共有アクセス情報検索手段と、該当する共有アクセス情報を検出すると、その内容を前記検索要求端末装置へ送信する検索結果送信手段とを備えることを特徴とする情報共有システム。
【請求項２】
請求項１に記載の情報共有システムにおいて、
前記アクセス情報生成手段は、
前記アクセス中継手段により中継される情報のネットワーク上での所在と内容を取得し、その所在が前記参照先記憶部に記憶されていない情報の所在を前記参照先記憶部に記憶させるアクセス解析部と、
該アクセス解析部から前記参照先記憶部に記憶されていない情報の前記内容を受け入れて、該内容からキーワードとなりうる単語を抽出し、前記アクセス解析部が前記参照先記憶部に記憶させる情報の所在に対応させて前記参照先記憶部に記憶させる単語抽出部とを有することを特徴とする情報共有システム。
【請求項３】
所定の領域の外部に配置される外部送受信端末装置を有する第一のネットワークと、前記所定の領域の内部に配置される複数個の内部送受信端末装置を有する第二のネットワークと、前記第一のネットワーク及び前記第二のネットワークに接続され、両ネットワーク間の送受信情報の中継を行うアクセス中継装置とを含む情報共有システムであって、
前記アクセス中継装置は、
前記両ネットワーク間の送受信情報の中継を行う情報中継手段と、前記情報中継手段が中継した送受信情報を解析して関係者情報を生成する関係者情報生成手段と、該関係者情報を格納する関係者記憶部と、検索要求端末装置から前記関係者情報の検索要求を受信すると、前記関係者記憶部を検索する関係者情報検索手段と、該当する関係者情報を検出すると、該関係者のアドレスを前記検索要求端末装置へ送信する検索結果送信手段とを備えることを特徴とする情報共有システム。
【請求項４】
所定の領域の内部に配置される複数個の内部送受信端末装置を有するネットワークと、該ネットワークに接続され、該ネットワーク内での送受信情報を中継するアクセス中継装置とを含む情報共有システムであって、
前記アクセス中継装置は、
前記ネットワーク内での送受信情報の中継を行う情報中継手段と、前記情報中継手段が中継した送受信情報を解析して関係者情報を生成する関係者情報生成手段と、該関係者情報を格納する関係者記憶部と、検索要求端末装置から前記関係者情報の検索要求を受信すると、前記関係者記憶部を検索する関係者情報検索手段と、該当する関係者情報を検出すると、該関係者のアドレスを前記検索要求端末装置へ送信する検索結果送信手段とを備えることを特徴とする情報共有システム。
【請求項５】
請求項３又は請求項４に記載の情報共有システムにおいて、
前記関係者情報生成手段は、
前記情報中継手段により中継される情報の送受信者を特定し、該送受信者の少なくとも一方が前記関係者記憶部に記憶されていないと、該記憶されていない送受信者を前記関係者記憶部に記憶させる送受信者抽出部と、
該送受信者抽出部から前記関係者記憶部に記憶されていない送受信者と送受信情報を受け入れて、該送受信情報からキーワードとなりうる単語を抽出し、前記送受信者抽出部が前記関係者記憶部に記憶させる送受信者に対応させて前記関係者記憶部に記憶させる単語抽出部とを有することを特徴とする情報共有システム。
【請求項６】
ネットワーク情報を有する第一のネットワークと、利用者が前記ネットワーク情報へアクセスする複数個の利用者端末装置を有する第二のネットワークと、前記第一のネットワーク及び前記第二のネットワークに接続され、両ネットワーク間の情報中継を行う第一のアクセス中継装置と第二のアクセス中継装置を含む情報共有システムであって、
前記第一のアクセス中継装置は、
前記両ネットワーク間で情報中継を行うアクセス中継手段と、前記中継した情報を解析して共有アクセス情報を生成するアクセス情報生成手段と、前記複数個の利用者端末装置毎に該共有アクセス情報を記憶する複数個の個別参照先記憶部とを含み、前記アクセス情報生成手段は、該複数個の個別参照先記憶部の中から所定の個別参照先記憶部を選択するユーザ特定部と、該選択された個別参照先記憶部に前記共有アクセス情報を格納するアクセス解析部を備え、
前記第二のアクセス中継装置は、
前記ネットワーク内での送受信情報の中継を行う情報中継手段と、前記情報中継手段が中継した送受信情報を解析して関係者情報を生成する関係者情報生成手段と、前記関係者情報を格納する関係者記憶部と、検索要求端末装置から前記関係者情報の検索要求を受信すると、前記関係者記憶部を検索する関係者情報検索手段と、を含み、
前記第一のアクセス中継装置は、更に、
前記関係者情報検索手段から該関係者のアドレスを受け入れて前記複数個の個別参照先記憶部の中から所定の個別参照先記憶部を選択し、該所定の個別参照先記憶部から前記共有アクセス情報を検索する参照先検索部を含むことを特徴とする情報共有システム。
【請求項７】
請求項１又は請求項６に記載の情報共有システムにおいて、前記検索要求端末装置は前記利用者端末装置であり、
前記アクセス中継装置は前記利用者端末装置から前記ネットワーク情報へのアクセス要求を前記検索要求として受信し、該アクセス要求に含まれる文字列に基づいて検索を実行することを特徴とする情報共有システム。
【発明の詳細な説明】
【０００１】
【発明の属する技術分野】
本発明は、ネットワーク内の情報へのアクセス又はメッセージに基づいて、アクセス情報を自動的に蓄積し、該アクセス情報をネットワーク内で共有する情報共有システムに関する。
【０００２】
【従来の技術】
従来ネットワークに接続されているネットワーク情報（例えば情報検索機関等が保有する情報）を利用者に提供するための情報共有システムでは以下のような技術が用いられていた。
利用者端末装置からネットワーク情報へのアクセス記録が、所定のデータベースに格納される。このアクセス記録から利用者が頻繁にアクセスしているネットワーク情報を特定するための単語や分野が抽出され、利用者個人毎の個人単語重要度情報が作成される。この個人単語重要度情報は、利用者端末装置毎に記憶される。利用者が、例えば情報検索機関等にアクセスすると、個人単語重要度情報に基づいて、利用者が必要としている情報のキーワードが自動的に推定される。このキーワードに基づいて、普段必要としているネットワーク情報が、即座に利用者に提示される（例えば、特許文献１参照）。
【０００３】
【特許文献１】
特開平１０−１６２０１１号公報（要約）
【０００４】
【発明が解決しようとする課題】
上記従来の技術では、自己が初めてアクセスするネットワーク情報、あるいは又過去にあまりアクセスした事のないネットワーク情報等に対してアクセスする場合には、あまり有効な技術とは言い難い。又、このような情報が、例えば自社内の他の者が頻繁にアクセスしている情報に該当する場合がある。かかる場合に従来の技術では、同一社内でありながら他の者が頻繁にアクセスしている情報を利用することができないという解決すべき課題が残されていた。
【０００５】
【課題を解決するための手段】
本発明は以上の点を解決するため次の構成を採用する。
〈構成１〉
ネットワーク情報を有する第一のネットワークと、利用者が上記ネットワーク情報へアクセスする複数個の利用者端末装置を有する第二のネットワークと、上記第一のネットワーク及び上記第二のネットワークに接続され、両ネットワーク間の情報中継を行うアクセス中継装置とを含む情報共有システムであって、上記アクセス中継装置は、上記両ネットワーク間で情報中継を行うアクセス中継手段と、上記中継した情報を解析して共有アクセス情報を生成するアクセス情報生成手段と、該共有アクセス情報を記憶する参照先記憶部と、検索要求端末装置からの検索要求を受信すると上記参照先記憶部を検索する共有アクセス情報検索手段と、該当する共有アクセス情報を検出すると、その内容を上記検索要求端末装置へ送信する検索結果送信手段とを備えることを特徴とする情報共有システム。
【０００６】
〈構成２〉
構成１に記載の情報共有システムにおいて、上記アクセス情報生成手段は、上記アクセス中継手段により中継される情報のネットワーク上での所在と内容を取得し、その所在が上記参照先記憶部に記憶されていない情報の所在を上記参照先記憶部に記憶させるアクセス解析部と、該アクセス解析部から上記参照先記憶部に記憶されていない情報の上記内容を受け入れて、該内容からキーワードとなりうる単語を抽出し、上記アクセス解析部が上記参照先記憶部に記憶させる情報の所在に対応させて上記参照先記憶部に記憶させる単語抽出部とを有することを特徴とする情報共有システム。
【０００７】
〈構成３〉
所定の領域の外部に配置される外部送受信端末装置を有する第一のネットワークと、上記所定の領域の内部に配置される複数個の内部送受信端末装置を有する第二のネットワークと、上記第一のネットワーク及び上記第二のネットワークに接続され、両ネットワーク間の送受信情報の中継を行うアクセス中継装置とを含む情報共有システムであって、上記アクセス中継装置は、上記両ネットワーク間の送受信情報の中継を行う情報中継手段と、上記情報中継手段が中継した送受信情報を解析して関係者情報を生成する関係者情報生成手段と、該関係者情報を格納する関係者記憶部と、検索要求端末装置から上記関係者情報の検索要求を受信すると、上記関係者記憶部を検索する関係者情報検索手段と、該当する関係者情報を検出すると、該関係者のアドレスを上記検索要求端末装置へ送信する検索結果送信手段とを備えることを特徴とする情報共有システム。
【０００８】
〈構成４〉
所定の領域の内部に配置される複数個の内部送受信端末装置を有するネットワークと、該ネットワークに接続され、該ネットワーク内での送受信情報を中継するアクセス中継装置とを含む情報共有システムであって、上記アクセス中継装置は、上記ネットワーク内での送受信情報の中継を行う情報中継手段と、上記情報中継手段が中継した送受信情報を解析して関係者情報を生成する関係者情報生成手段と、該関係者情報を格納する関係者記憶部と、検索要求端末装置から上記関係者情報の検索要求を受信すると、上記関係者記憶部を検索する関係者情報検索手段と、該当する関係者情報を検出すると、該関係者のアドレスを上記検索要求端末装置へ送信する検索結果送信手段とを備えることを特徴とする情報共有システム。
【０００９】
〈構成５〉
構成３又は構成４に記載の情報共有システムにおいて、上記関係者情報生成手段は、上記情報中継手段により中継される情報の送受信者を特定し、該送受信者の少なくとも一方が上記関係者記憶部に記憶されていないと、該記憶されていない送受信者を上記関係者記憶部に記憶させる送受信者抽出部と、該送受信者抽出部から上記関係者記憶部に記憶されていない送受信者と送受信情報を受け入れて、該送受信情報からキーワードとなりうる単語を抽出し、上記送受信者抽出部が上記関係者記憶部に記憶させる送受信者に対応させて上記関係者記憶部に記憶させる単語抽出部とを有することを特徴とする情報共有システム。
【００１０】
〈構成６〉
ネットワーク情報を有する第一のネットワークと、利用者が上記ネットワーク情報へアクセスする複数個の利用者端末装置を有する第二のネットワークと、上記第一のネットワーク及び上記第二のネットワークに接続され、両ネットワーク間の情報中継を行う第一のアクセス中継装置と第二のアクセス中継装置を含む情報共有システムであって、上記第一のアクセス中継装置は、上記両ネットワーク間で情報中継を行うアクセス中継手段と、上記中継した情報を解析して共有アクセス情報を生成するアクセス情報生成手段と、上記複数個の利用者端末装置毎に該共有アクセス情報を記憶する複数個の個別参照先記憶部とを含み、上記アクセス情報生成手段は、該複数個の個別参照先記憶部の中から所定の個別参照先記憶部を選択するユーザ特定部と、該選択された個別参照先記憶部に上記共有アクセス情報を格納するアクセス解析部を備え、上記第二のアクセス中継装置は、上記ネットワーク内での送受信情報の中継を行う情報中継手段と、上記情報中継手段が中継した送受信情報を解析して関係者情報を生成する関係者情報生成手段と、上記関係者情報を格納する関係者記憶部と、検索要求端末装置から上記関係者情報の検索要求を受信すると、上記関係者記憶部を検索する関係者情報検索手段と、を含み、上記第一のアクセス中継装置は、更に、上記関係者情報検索手段から該関係者のアドレスを受け入れて上記複数個の個別参照先記憶部の中から所定の個別参照先記憶部を選択し、該所定の個別参照先記憶部から上記共有アクセス情報を検索する参照先検索部を含むことを特徴とする情報共有システム。
【００１１】
〈構成７〉
請求項１又は構成６記載の情報共有システムにおいて、上記検索要求端末装置は上記利用者端末装置であり、上記アクセス中継装置は上記利用者端末装置から上記ネットワーク情報へのアクセス要求を上記検索要求として受信し、該アクセス要求に含まれる文字列に基づいて検索を実行することを特徴とする情報共有システム。
【００１２】
【発明の実施の形態】
以下、本発明の実施の形態を具体例を用いて説明する。
〈具体例１の構成〉
本具体例では、所定の領域内で複数個の利用者端末装置を接続するＬＡＮと多数のネットワーク情報を有する公衆回線網との間にアクセス中継装置を配置する。このアクセス中継装置は、各利用者端末装置から利用者が、上記多数のネットワーク情報の中のネットワーク情報へアクセスすると、その内容を自動的に解析し、その特定のネットワーク情報のアドレスと、その情報中に含まれているキーワードを解析し、共有アクセス情報として長期間に亘って多数個蓄積しておく。
【００１３】
こうすることによって他の利用者端末装置から利用者が、所定のキーワードを入力して自己が求めているネットワーク情報へ初めてアクセスする場合であっても、アクセス中継装置は、利用者が求めているキーワードに関して最も関連のありそうなネットワーク情報のアドレスを利用者に即座に提示してくれる。その結果、利用者は、自己が入力したキーワードに関連するネットワーク情報の全てを開くことなく、自己が求めているネットワーク情報へ即座にアクセスすることができる。以上の目的を達成するために本具体例は以下のように構成される。
【００１４】
図１は、具体例１のシステム構成図である。
本具体例の情報共有システムは、ネットワーク情報１−１〜１−ｎと、インターネット回線２と、複数個の利用者端末装置３と、ＬＡＮ（構内回線）４と、アクセス中継装置５とを含む。
【００１５】
ネットワーク情報１−１〜１−ｎは、インターネット回線２に接続されている公開情報である。情報検索機関が保有する情報等、利用者端末装置３からアクセス可能な情報であれば、どんな情報であっても良く、例えばホームページ等であっても良い。
インターネット回線２は、上記ネットワーク情報１−１〜１−ｎを保有する代表的な公衆回線網であって、請求項中に於ける第一のネットワークに該当する部分である。
【００１６】
利用者端末装置３は、ＬＡＮ（構内回線）４に接続され、利用者がネットワーク情報１−１〜１−ｎにアクセスし、その結果を受け入れるための端末装置であって、通常パーソナルコンピュータが用いられる。この利用者端末装置３は、利用者がネットワーク情報１−１〜１−ｎにアクセスするために入力するキーワード入力部３−１、利用者に入出力された情報を表示して利用者端末装置３と利用者間でのインタフェースの役目を果たす表示部３−２、及び、図示していないが利用者端末装置３とＬＡＮ（構内回線）４との情報交信に必要とされる他の部分（例えば通信部等）を有している。
【００１７】
ＬＡＮ（構内回線）４は、利用者端末装置３を複数個接続できる、例えば同一社内等、一定範囲内に限定されるネットワークである。イーサネット（登録商標）等の標準的なＬＡＮに限定されるものではない。
アクセス中継装置５は、インターネット回線２と、ＬＡＮ４との間に接続して配置され、両ネットワーク間での情報中継を行い、該中継した情報を解析し、該解析結果を記憶し、利用者端末装置３が求めているネットワーク情報（１−１〜１−ｎの何れか）へアクセスするのを容易、且つ、迅速化させるためのアクセス情報の共有化を可能とする部分である。この目的を達成するために、参照先記憶部６と、制御部７を有する。
【００１８】
参照先記憶部６は、共有アクセス情報を記憶するデータベースである。このデータベースに格納（登録）されている共有アクセス情報の一例について説明する。
図２は、参照先記憶部の説明図である。
図に示すように、共有アクセス情報は、図の上から順番に格納され、各共有アクセス情報毎に、アドレス６−１、重要度６−２、及び抽出単語６−３が対応付けて格納されている。
【００１９】
ここでアドレス６−１は、ネットワーク情報１−１〜１−ｎのインターネット回線２上でのアドレスを表している。重要度６−２は、各共有アクセス情報毎の重要度を数値で表している。この数値としては、例えば、利用者がこの情報にアクセスした回数等が用いられる。即ち、利用者がアクセスした回数が多ければ多いほど、この情報の重要度が高いと判断される。抽出単語６−３は、利用者によってアクセスされた特定のネットワーク情報（１−１〜１−ｎの何れか）から、後に説明するアクセス情報生成手段７−２によって生成され格納されるキーワードとなりうる語句である。
【００２０】
再度図１に戻って、制御部７は、アクセス中継手段７−１、アクセス情報生成手段７−２、共有アクセス情報検索手段７−３、検索結果送信手段７−４の各制御手段を有し、アクセス中継装置５を制御するＣＰＵ（中央演算処理装置）から成る。アクセス中継手段７−１は、インターネット回線２と、ＬＡＮ３間の情報中継を行う手段である。アクセス情報生成手段７−２は、アクセス中継手段７−１が中継した情報を解析して共有アクセス情報を生成する手段であり、その内部にアクセス解析部７−２−１と、単語抽出部７−２−２とを備える。
【００２１】
アクセス解析部７−２−１は、利用者端末装置３からＬＡＮ４を介してインターネット回線２上にあるネットワーク情報（１−１〜１−ｎの何れか）へのアクセス要求に対して、そのアドレス、及び受信したネットワーク情報を受け入れる部分である。そのアドレス、及びネットワーク情報が、既に参照先記憶部６に格納されていれば、そのアクセス頻度等で表される重要度を更新する部分でもある。そのアドレス、及び内容が、未だ参照先記憶部６に格納されていなければ、そのアドレスを参照先記憶部６に登録すると共に、内容を単語抽出部７−２−２へ送出する部分である。ここでは、重要度をそのアクセス頻度そのもので表すが、以前はアクセス頻度が高かったが、最近アクセス頻度が低くなった、等の場合に、アクセス頻度に所定の重み付けを付けることもできる。
【００２２】
単語抽出部７−２−２は、アクセス解析部７−２−１から受け入れた内容からキーワードとなりうる単語を抽出する部分である。これは、形態素解析等、良く知られている自然言語処理技術を用いることによって容易に処理することができる。このようにして抽出された単語は、参照先記憶部６に、アクセス解析部７−２−１によって登録されたアドレス６−１（図２）に対応させて抽出単語６−３（図２）の欄に格納される。
【００２３】
共有アクセス情報検索手段７−３は、利用者端末装置３からネットワーク情報１−１〜１−ｎへのアクセスするための共有アクセス情報の検索要求を受信すると、その要求内容について参照先記憶部６を検索する部分であり、検索キー受信部７−３−１と参照先検索部７−３−２とを備える。検索キー受信部７−３−１は、利用者がキーワード入力部３−１に入力したキーワードをＬＡＮ４を介して受け入れて参照先検索部７−３−２へ送出する部分である。
【００２４】
参照先検索部７−３−２は、キーワード入力部３−１から受け入れたキーワードと参照先記憶部６に格納されている抽出単語６−３（図２）とを照合し、そのキーワードに関連するネットワーク情報（１−１〜１−ｎの何れか）のアドレス（アドレス６−１（図２））を検索する部分である。参照先検索部７−３−２は、アドレス６−１（図２）から求めているネットワーク情報（１−１〜１−ｎの何れか）のアドレスを検出できた場合には、その重要度６−２（図２）からアクセス頻度の高い情報を読み出して検索結果送信手段７−４へ送出する部分でもある。
検索結果送信手段７−４は、上記共有アクセス情報検索手段７−３が、利用者の求めている共有アクセス情報を検出できた場合には、その内容を利用者端末装置３へ送出する部分である。
【００２５】
〈具体例１の動作〉
以上説明した具体例１の情報共有システムの動作を共有アクセス情報の収集（登録）動作と検索動作に分けて説明する。
図３は、具体例１の共有アクセス情報の収集動作のフローチャートである。
図４は、検索サイトでの検索結果の説明図である。
ステップＳ１−１
通常の情報収集動作と同様に利用者が利用者端末装置３のキーワード入力部３−１（図１）を用いて一例として検索サイトのアドレス「ｈｔｔｐ：／／ｗｗｗ．ＳＳＳ．ｃｏ．ｊｐ／ｓｅａｒｃｈ．ｃｇｉ？」とキーワード「Ｗｅｂプログラミング」を入力する事によってフローが開始される。
ステップＳ１−２
キーワードを含んだアクセス要求がＬＡＮ４（図１）、アクセス中継手段７−１（図１）を通り、インターネット回線２（図１）を介してアドレス「ｈｔｔｐ：／／ｗｗｗ．ＳＳＳ．ｃｏ．ｊｐ／ｓｅａｒｃｈ．ｃｇｉ？」へ送られる。
【００２６】
ステップＳ１−３
検索サイト（ネットワーク情報１−１〜１−ｎの何れか（図１））は、検索要求を受け入れて検索する。例えば図４に示す４個のアドレスとネットワーク情報を検出できたとする。
ステップＳ１−４
上記検索サイトは、検索で得られたネットワーク情報（検索結果）を利用者端末装置３へ返信する（ステップＳ１−１０）と共に、図４に示す検索結果のアドレスと内容をアクセス中継手段７−１を経由してアクセス解析部７−２−１へも送出する（ステップＳ１−５）。
【００２７】
ステップＳ１−５
アクセス解析部７−２−１（図１）は、検索結果に記載されている４個のアドレスのそれぞれについて参照先記憶部６（図１）を検索する。
ステップＳ１−６
アクセス解析部７−２−１は、同一アドレスが既に参照先記憶部６（図１）に登録されている場合にはステップＳ１−９へ進み、同一アドレスが未だ参照先記憶部６（図１）に登録されていない場合にはステップＳ１−７へ進む。
【００２８】
ステップＳ１−７
同一アドレスが未だ参照先記憶部６（図１）に登録されていないので、アクセス解析部７−２−１（図１）が、アドレス６−１（図２）へ登録する。
ステップＳ１−８
単語抽出部７−２−２は、検索サイトの検索結果からキーワードとなりうる単語を抽出し、登録されたアドレスに対応させて格納しフローを終了する。
ステップＳ１−９
同一アドレスが既に参照先記憶部６（図１）に登録されているので、アクセス解析部７−２−１（図１）が、重要度６−２（図２）を更新してフローを終了する。
【００２９】
ステップＳ１−１０
図４に示す検索結果が利用者端末装置３へ返信されてフローを終了する。このようにしてアクセス共有情報が通常の検索動作の中で蓄積される。
以上の説明では、一例として利用者が検索サイトへアクセスした場合について説明したが、本発明は、この例に限定されるものではない。即ち、ネットワーク情報１−１〜１−ｎは、検索サイトに登録されている情報のみならずインターネット回線２に接続されている情報であれば、どのような情報であっても良い。
【００３０】
又、上記説明では検索結果（図４）に記載されている４個のアドレスの全てについて、参照先記憶部６（図６）へ登録する事としたが、本発明は、この例に限定されるものではない。即ち、上記４個のアドレスの内、利用者が自己の求めているネットワーク情報と判断して表示部３−２（図１）へ表示したもののみ参照先記憶部６（図６）へ登録する事としても良い。
【００３１】
図５は、具体例１の検索動作のフローチャートである。
ステップＳ１−１１
他の利用者が、一例としてキーワード「Ｗｅｂプログラミング」に関する内容が記載されているネットワーク情報（１−１〜１−ｎの何れか）（図１）へアクセスすべく、キーワード入力部３−１（図１）を用いて、キーワード「Ｗｅｂプログラミング」のみを入力する（アドレスを入力しない）事によってフローが開始される。
【００３２】
ステップＳ１−１２
検索キー受信部７−３−１（図１）は、ＬＡＮ４（図１）を介してキーワード「Ｗｅｂプログラミング」を受け入れる。
ステップＳ１−１３
参照先検索部７−３−２（図１）は、キーワード「Ｗｅｂプログラミング」を用いて参照先記憶部６（図１）を検索する。
【００３３】
ステップＳ１−１４
参照先検索部７−３−２（図１）が、利用者の求めている共有アクセス情報を検出できた場合にはステップＳ１−１５へ進み、検出できなかった場合にはフローを終了する。あるいは又検出できなかった事を利用者端末装置３（図１）へ送っても良い。ここでは上記図３のフローで既に図２に示す情報が格納されている。この情報中で、最下段の共有アクセス情報（Ｕ１）が重要度最大（１４）なので、このアドレス「ｈｔｔｐ：／／ｗｗｗ．ＡＡＡ．ｎｅ．ｊｐ／￣ａａａ／ｉｎｄｅｘ．ｈｔｍｌ」が選択され検索結果送信手段７−４（図１）を経て利用者端末装置３（図１）へ送られる。
【００３４】
ステップＳ１−１５
アドレス「ｈｔｔｐ：／／ｗｗｗ．ＡＡＡ．ｎｅ．ｊｐ／￣ａａａ／ｉｎｄｅｘ．ｈｔｍｌ」が利用者端末装置３（図１）へ返信されてフローを終了する。この後、このアドレスを用いて利用者は自己が求めているキーワード「Ｗｅｂプログラミング」に関する重要度の高いネットワーク情報１−１〜１−ｎへ迅速にアクセスすることができる。
【００３５】
次に請求項中の、アクセス中継手段、アクセス情報生成手段、共有アクセス情報検索手段と本具体例による情報共有システムとのソフトウェア上での関連について説明する。
アクセス中継手段は、ＬＡＮ４（図１）とインターネット回線２（図１）間での情報中継を予め定められたコンピュータプログラムに従って制御部７（図１）が実行するコンピュータ制御手段であってステップＳ１−２が該当する。
アクセス情報生成手段は、上記アクセス中継手段が中継した情報を解析して共有アクセス情報を予め定められたコンピュータプログラムに従って生成する制御部７（図１）が実行するコンピュータ制御手段であってステップＳ１−５〜ステップＳ１−９が該当する。
【００３６】
共有アクセス情報検索手段は、利用者端末装置３（図１）からキーワードに関連するネットワーク情報（１−１〜１−ｎの何れか）のアドレス検索要求を受信すると予め定められたコンピュータプログラムに従って制御部７（図１）が参照先検索部７−３−２（図１）によって参照先記憶部６（図１）を検索するコンピュータ制御手段であってステップＳ１−１２〜ステップＳ１−１４が該当する。
【００３７】
上記、アクセス中継手段、アクセス情報生成手段、共有アクセス情報検索手段は、予め定められたコンピュータプログラムとして所定のメモリ（図示していない）に格納されている。又これらの手段は、予め定められたコンピュータプログラムとしてコンピュータによる読み取り可能な記録媒体に格納しておくことも可能である。
更に、これらの制御手段を回路ブロックで構成し、動作するようにしても良い。
尚、上記説明では、利用者が利用者端末装置３（図１）を用いて共有アクセス情報を検索する場合の例として、利用者がＬＡＮ４（図１）の内部からアクセスする場合の例に限定して説明したが、本発明は、この例に限定されるものではない。即ち、利用者は、インターネット回線２（図１）からでも、あるいは又、アクセス中継装置５（図１）に直接接続してでも検索要求端末装置（請求項中）を用いてアクセスすることが可能である。
【００３８】
〈具体例１の効果〉
以上説明したように、本具体例の情報共有システムを用いることによって、例えば利用者Ｂが、ＬＡＮ内で「Ｗｅｂプログラミング」に関係するページを見つけて頻繁に利用している場合には、同一ＬＡＮ内の利用者Ａは、「Ｗｅｂプログラミング」について検索したことがない場合であっても、同一ＬＡＮ内で利用者Ｂによって、よく利用されているページがあることを知る。その結果、インターネット上の検索サイトから得られた情報のアドレスを一つ一つ確認することなく有用な情報を得ることができるという効果を得る。
【００３９】
〈具体例２の構成〉
具体例１の説明では、アクセス中継装置が、利用者の求めている共有アクセス情報を検索し、利用者に提供する場合について説明した。しかし、利用者が、情報検索機関へアクセスし、一般的なＷｅｂブラウザに従って自己が求めているネットワーク情報にアクセスしようとしている場合には、利用者は、既に情報検索機関のアドレスを知っているので、通常の検索と同様に情報検索機関のアドレスを入力し、一般的なＷｅｂブラウザに従って自己が求めているネットワーク情報へアクセスすることとする。
【００４０】
こうすることによって情報検索機関の検索結果として複数個のアドレスが通常通り提示される。本具体例では、情報検索機関が検出した検索結果（ネットワーク情報）にアクセス中継装置が検出した検索結果（共有アクセス情報）を合成して利用者に提示するように構成される。その結果利用者は、情報検索機関の検索結果に含まれている複数個のネットワーク情報の全てを開くことなく、アクセス中継装置の検索結果に基づいて自己が求めているネットワーク情報へ即座にアクセスすることができる。かかる目的を達成するために本具体例は、以下のように構成される。
【００４１】
図６は、具体例２のシステム構成図である。
図１との相違点のみについて説明する。
図６に示すように、アクセス中継装置９は、図１に於ける、共有アクセス情報検索手段７−３（図１）に換えて、検索要求検出部１０−３−１、検索キー抽出部１０−３−２、及び参照先検索部７−３−２を有する共有アクセス情報検索手段１０−３を備える。
【００４２】
検索要求検出部１０−３−１は、アクセス中継手段７−１を中継し、ＬＡＮ４及びインターネット回線２を介してなされるネットワーク情報１−１〜１−ｎへのアクセス要求の中から検索サイトへの検索要求のみを検出する部分である。これは、インターネット回線２が有する、予め既知となっている検索サイトのＵＲＬを所持し、これと比較することによって容易に実行可能となる。
【００４３】
検索キー抽出部１０−３−２は、利用者がキーワード入力部３−１に入力したキーワードを抽出する部分である。
参照先検索部７−３−２は、上記図１の場合と同様であり、探索キー抽出部１０−３−２から受け入れたキーワードと参照先記憶部６に格納されている抽出単語６−３（図２）とを照合し、利用者が求めているネットワーク情報（１−１〜１−ｎの何れか）のアドレス６−１（図２）を検索する部分である。参照先検索部７−３−２は、アドレス６−１（図２）を検出できた場合には、その重要度６−２（図２）を用いてアクセス頻度の高い情報を読み出して検索結果合成手段１１へ送出する部分でもある。
【００４４】
検索結果合成手段１１は、利用者の検索要求に対する検索サイト（ネットワーク情報（１−１〜１−ｎの何れか））からの返信情報に参照先検索部７−３−２の検索結果を合成してＬＡＮ４を介して利用者端末装置３へ送出する部分である。ここで、検索結果合成手段１１から利用者端末装置３に向けて送出される情報の一例について説明する。
【００４５】
図７は、共有アドレス情報が合成されたネットワーク情報の一例である。
図において、上部分が検索サイト情報８−１であり、下部分が参照先検索結果情報８−２である。上部分の検索サイト情報８−１は、一例として情報検索機関に対する通常検索処理によって得られるネットワーク情報である。下部分の参照先検索結果情報８−２は、利用者の求めている共有アクセス情報を検出できた場合に、そのアドレスを合成した部分である。この共有アドレス情報が合成されたネットワーク情報が、利用者端末装置３（図６）へ送られることになる。
【００４６】
〈具体例２の動作〉
図８は、具体例２の動作のフローチャートである。
前提条件として利用者が検索サイト（アドレスは「ｈｔｔｐ：／／ｗｗｗ．ＳＳＳ．ｃｏ．ｊｐ／ｓｅａｒｃｈ．ｃｇｉ？」）へ「Ｗｅｂプログラミング」をキーとして情報検索を実行するものとする。
図のステップＳ２−１からステップＳ２−１５までステップ順に説明する。
【００４７】
ステップＳ２−１
利用者がキーワード入力部３−１（図６）を用いて検索サイトのアドレス、「ｈｔｔｐ：／／ｗｗｗ．ＳＳＳ．ｃｏ．ｊｐ／ｓｅａｒｃｈ．ｃｇｉ？」とキーワード「Ｗｅｂプログラミング」を入力する事によってフローが開始される。
ステップＳ２−２
キーワードを含んだアクセス要求がＬＡＮ４（図６）、アクセス中継手段７−１（図６）を通って検索要求検出部１０−３−１（図６）と、インターネット回線２（図６）を通ってネットワーク情報１−１〜１−ｎ（ここでは前提条件より検索サイト）へ送られる。
【００４８】
ステップＳ２−３
検索要求検出部１０−３−１（図６）は、受け入れたアクセス要求が検索要求であることを認識した場合には次へ進み、受け入れたアクセス要求が検索要求でない場合にはフローを終了する。ここでは前提条件によって検索要求なので次へ進む。
ステップＳ２−４
検索キー抽出部（図６）は、検索要求からキーワードを抽出して参照先検索部７−３−２（図６）へ送る。
【００４９】
ステップＳ２−５
参照先検索部７−３−２（図６）は、キーワード「Ｗｅｂプログラミング」を用いて参照先記憶部６（図６）を検索する。
ステップＳ２−６
参照先検索部７−３−２（図６）が、利用者が求めている共有アクセス情報を検出できた場合にはステップＳ２−９へ進み、所望の共有アクセス情報を検出できなかった場合にはフローを終了する。ここでは前提条件により図２に示す情報を検出する。この情報中で最下段の共有アクセス情報（Ｕ１）が重要度最大（１４）なので、このアドレス「ｈｔｔｐ：／／ｗｗｗ．ＡＡＡ．ｎｅ．ｊｐ／￣ａａａ／ｉｎｄｅｘ．ｈｔｍｌ」を選択して検索結果合成手段１１（図６）へ送る。
【００５０】
ステップＳ２−７
検索サイト（ネットワーク情報１−１〜１−ｎの何れか（図６））は、検索要求を受け入れて検索する。
ステップＳ２−８
検索サイト（ネットワーク情報１−１〜１−ｎの何れか（図６））は、検索結果（一例として図７の検索サイト情報７−１）を検索結果合成手段１１（図６）へ送ると共に、アクセス中継手段７−１（図６）を経由してアクセス解析部７−２−１（図６）へも送出する（ステップＳ２−１１）。
【００５１】
ステップＳ２−９
同一アドレスが未だ参照先記憶部６（図６）登録されていない場合には（前提条件よりここでは該当しない）、検索結果合成手段１１（図６）は、合成すべき情報が無いのでステップＳ２−８から受け入れた検索サイトの検索結果（一例として図７の検索サイト情報７−１）をそのまま利用者端末装置３（図６）送出する。また、同一アドレスが既に参照先記憶部６（図６）登録されている場合には（前提条件よりここでは該当する）、アクセス解析部７−２−１（図６）が、読み出したアドレスを検索サイトの検索結果に合成し、共有アドレス情報が合成されたネットワーク情報（図７）を利用者端末装置３（図６）へ送出する。
【００５２】
ステップＳ２−１０
利用者端末装置３（図６）は、利用者が求めているネットワーク情報（１−１から１−ｎの何れか）のアドレスを受け入れてフローを終了する。
ステップＳ２−１１
アクセス解析部７−２−１（図６）は、検索結果（一例として図７の検索サイト情報７−１）に記載されているアドレスのそれぞれについて参照先記憶部６（図６）を検索する。
ステップＳ２−１２
アクセス解析部７−２−１（図６）は、同一アドレスが既に参照先記憶部６（図６）登録されている場合にはステップＳ２−１３へ進み、同一アドレスが未だ参照先記憶部６（図６）に登録されていない場合にはステップＳ２−１４へ進む。ここでは前提条件より参照先記憶部６（図６）には、既に、同一アドレスが登録されているのでステップＳ２−１３へ進むことになる。
【００５３】
ステップＳ２−１３
同一アドレスが既に参照先記憶部６（図６）に登録されているので、アクセス解析部７−２−１（図６）が、重要度６−２（図２）を更新してフローを終了する。
ステップＳ２−１４
同一アドレスが未だ参照先記憶部６（図６）に登録されていないので、アクセス解析部７−２−１（図６）が、アドレス６−１（図６）へ登録する。
ステップＳ２−１５
単語抽出部７−２−２（図６）は、検索サイトの検索結果からキーワードとなりうる単語を抽出し、登録されたアドレスに対応させて格納しフローを終了する。
【００５４】
〈具体例２の効果〉
以上説明したように、本具体例の情報共有システムを用いることによって、上記具体例１の効果に加え、上記利用者の要求している検索サイト情報に、共有アクセス情報が合成されたネットワーク情報を得ることができるという効果を得る。
【００５５】
〈具体例３の構成〉
本具体例では、所定の領域内でメールの送受信を可能にする複数個の内部メール端末装置を接続するＬＡＮと、所定の領域外でメールの送受信を可能にする外部メール端末装置を接続する公衆回線網との間にアクセス中継装置を配置する。このアクセス中継装置は、各メール利用者が所定の領域内で送受信したメールの内容（文章内容）を自動的に解析し、その解析結果を関係者情報として蓄積しておく。こうすることによってメール利用者が自己が求めている内容に関連する関係者を容易に探し出すことができる。本具体例は以下のように構成される。
【００５６】
図９は、具体例３のシステム構成図である。
本具体例の情報共有システムは、外部メール端末装置２１と、インターネット回線２２と、複数個の内部メール端末装置２３と、ＬＡＮ（構内回線）２４と、アクセス中継装置２５とを含む。
【００５７】
外部メール端末装置２１は、インターネット回線２２に接続され、メール利用者に対して一定の領域（例えば同一社内）外からのメール送受信を可能にするメール端末装置である。
インターネット回線２２は、上記外部メール端末装置２１を保有する代表的な公衆回線網であって、請求項中に於ける第一のネットワークに該当する部分である。
【００５８】
内部メール端末装置２３は、ＬＡＮ（構内回線）２４に接続され、メール利用者に対して一定の領域内からメール送受信を可能にするメール端末装置である。更に、メール利用者がメール送信するためのキーワード入力部２３−１、メール利用者に送受信メールの内容を表示して内部メール端末装置２３とメール利用者の間でのインタフェースの役目を果たす表示部２３−２、及び、図示していないが内部メール端末装置２３とＬＡＮ（構内回線）２４とのメール送受信に必要とされる他の部分（例えば通信部等）を有している。
【００５９】
ＬＡＮ（構内回線）２４は、内部メール端末装置２３が複数個接続される、例えば同一社内等、一定範囲内に限定されるネットワークである。イーサネット等の標準的なＬＡＮに限定されるものではない。
アクセス中継装置２５は、インターネット回線２２と、ＬＡＮ（構内回線）２４との間に接続して配置され、両ネットワーク間でのメールの中継を行い、該中継したメールを解析し、該解析結果を記憶し、メール利用者が、自己の求めている内容に関連し、その内容に精通していると思われる関係者を検出するのを容易、且つ、迅速化させるためのアクセス情報の共有化を可能とする部分である。この目的を達成するために、関係者記憶部２６と、制御部２７を有する。
【００６０】
関係者記憶部２６は、共有アクセス情報（関係者情報）を記憶するデータベースである。このデータベースに格納されている共有アクセス情報の一例について説明する。
図１０は、関係者記憶部の説明図である。
図に示すように、関係者情報は、図の上から順番に格納され（図では１個のみ記載）、各関係者情報毎に、電子メールアドレス２６−１、抽出単語（頻度）２６−２が対応付けて格納されている。
【００６１】
ここで電子メールアドレス２６−１は、メール利用者のメールアドレスを表している。抽出単語（頻度）２６−２は、メール内容中で使用された単語毎の重要度を数値で表している。この数値としては、例えば、メール利用者がこの単語をメール内容中で使用した回数等が用いられる。即ち、メール利用者がメール内容中で使用した単語の回数が多ければ多い程、一般的には、このメール利用者が、この単語に深く関連し、この単語を用いる内容に精通しているものと判断することができる。この抽出単語２６−２は、メール利用者が送信したメール内容から、後に説明する関係者情報生成手段２７−２によって生成され収集（登録）される。
【００６２】
再度図９に戻って、制御部２７は、情報中継手段２７−１、関係者情報生成手段２７−２、関係者情報検索手段２７−３、検索結果送信手段７−４の各制御手段を有してアクセス中継装置２５を制御するＣＰＵ（中央演算処理装置）である。情報中継手段２７−１は、インターネット回線２２と、ＬＡＮ２４間の情報中継を行う手段である。この内部には良く知られている通常のメールサーバが含まれているが、ここでは特に触れないこととする。関係者情報生成手段２７−２は、情報中継手段２７−１が中継したメール内容を解析して関係者情報を生成する手段であり、その内部に送受信者抽出部２７−２−１と、単語抽出部２７−２−２とを備える。
【００６３】
図１１は、関係者情報生成手段の説明図である。
図はメール内容の一例を表している。図に示すように送信者のドメインＡ２１、受信者ドメインＡ２２や、キーワードとなりうる語句、Ａ２３（Ｃｃｃシステム）、Ａ２４（Ｙｙｙ電気）、Ａ２５（Ａシステム）、Ａ２６（Ｗｅｂアプリケーション）、Ａ２７（データベース）、Ａ２８（ＡＰＩ）が記載されている。
【００６４】
図９に戻って、送受信者抽出部２７−２−１は、外部メール端末装置２１又は内部メール端末装置２３からメール利用者が送信したメールについて情報中継手段２７−１を介してメール内容（図１１）を受け入れて、送信者のドメインＡ２１、受信者ドメインＡ２２等を抽出する部分である。又、そのメールアドレスが、既に関係者記憶部２６に登録されていれば、その頻度を更新し、未だ登録されていなければ、そのアドレスを関係者記憶部２６に登録すると共に、メール内容を単語抽出部２７−２−２へ送出する部分である。
【００６５】
単語抽出部２７−２−２は、受け入れたメール内容からキーワードとなりうる単語、例えば図１１に示すＡ２３（Ｃｃｃシステム）、Ａ２４（Ｙｙｙ電気）、Ａ２５（Ａシステム）、Ａ２６（Ｗｅｂアプリケーション）、Ａ２７（データベース）、Ａ２８（ＡＰＩ）等を抽出する部分である。これらの単語は、形態素解析等、良く知られている自然言語処理技術を用いることによって容易に処理することができる。このようにして抽出された単語は、送受信者抽出部２７−２−１によって、関係者記憶部２６に、登録された電子メールアドレス２６−１（図１０）に対応させて抽出単語（頻度）２６−２（図１０）に格納される。
【００６６】
関係者情報検索手段２７−３は、内部メール端末装置２３を介してメール利用者から関係者の検索要求を受信すると、その要求内容について関係者記憶部２６を検索する部分であり、検索キー受信部２７−３−１と関係者検索部２７−３−２とを備える。検索キー受信部２７−３−１は、内部メール端末装置２３がキーワード入力部２３−１に入力したキーワードをＬＡＮ２４を介して受け入れて関係者検索部２７−３−２へ送出する部分である。
【００６７】
関係者検索部２７−３−２は、受け入れたキーワードと関係者記憶部２６に格納されている抽出単語２６−２（図１０）とを照合し、関係者のアドレス（電子メールアドレス２６−１（図１０））を検索する部分である。又、関係者検索部２７−３−２は、電子メールアドレス２６−１（図１０）から関係者のアドレスを検出できた場合には、そのアドレスを読み出して検索結果送信手段２７−４へ送出する部分でもある。
検索結果送信手段２７−４は、上記関係者情報検索手段２７−３が、内部メール端末装置２３を介してメール利用者が求めている関係者情報を検出できた場合には、その内容を内部メール端末装置２３へ送出する手段である。
【００６８】
〈具体例３の動作〉
図１２は、具体例３の動作のフローチャートである。
前提条件として、メール利用者（電子メールアドレスｉｋｅｎｏ．ｘｘｘ．ｙｙｙ．ｃｏ．ｊｐ）から内部メール端末装置２３（図９）を用いて、外部メール端末装置２１（図９）を利用するメール利用者（電子メールアドレスａｂｅ．ｃｃｃ．ｃｏ．ｊｐ）へ、図１１に示す内容の電子メールが送信されたものとする。
【００６９】
上記電子メールの内容が関係者記憶部２６（図９）に収集（登録）される動作について説明する。
ステップＳ３−１
内部メール端末装置２３（図９）から図１１に示す内容の電子メールが送信される。
ステップＳ３−２
情報中継手段２７−１（図９）は、通常のメールサーバを用いて電子メールを外部メール端末装置２１（図９）へ送る（通常のメール送受信動作）とともに、その内容を送受信者抽出部２７−２−１（図９）と単語抽出部２７−２−２（図９）へも送る（本発明によるメール送受信動作）。以下、通常のメール送受信動作の説明は省略し、本発明によるメール送受信動作のみに限定して説明する。
【００７０】
ステップＳ３−３
送受信者抽出部２７−２−１（図９）は、電子メールから、関係者ａｂｅ．ｃｃｃ．ｃｏ．ｊｐ及びｉｋｅｎｏ．ｘｘｘ．ｙｙｙ．ｃｏ．ｊｐの電子メールアドレスを抽出し、ステップＳ３−５へ進む。
ステップＳ３−４
単語抽出部２７−２−２（図９）は、電子メールから、単語を抽出し、ステップＳ３−５へ進む。
【００７１】
ステップＳ３−５
送受信者抽出部２７−２−１（図９）は、関係者記憶部２６（図９）を検索し、同一関係者（送信者又は受信者）が既に関係者記憶部２６（図９）に登録されている場合にはステップＳ３−６へ進み、同一関係者が未だ関係者記憶部２６（図９）に登録されていない場合にはステップＳ３−７へ進む。ここでは前提条件より関係者記憶部２６（図９）には、既に、ａｂｅ．ｃｃｃ．ｃｏ．ｊｐが登録されているがｉｋｅｎｏ．ｘｘｘ．ｙｙｙ．ｃｏ．ｊｐは未だ登録されていない。
【００７２】
ステップＳ３−６
同一関係者ａｂｅ．ｃｃｃ．ｃｏ．ｊｐが、既に関係者記憶部２６（図９）に登録されているので、送受信者抽出部２７−２−１（図９）及び単語抽出部２７−２−２（図９）が図１０の内容を更新してフローを終了する。
ステップＳ３−７
ｉｋｅｎｏ．ｘｘｘ．ｙｙｙ．ｃｏ．ｊｐと同一関係者が未だ関係者記憶部２６（図９）に登録されていないので送受信者抽出部２７−２−１（図９）は、電子メールから抽出したｉｋｅｎｏ．ｘｘｘ．ｙｙｙ．ｃｏ．ｊｐと単語とを合成する。
ステップＳ３−８
送受信者抽出部２７−２−１（図９）は、関係者と単語を合成した電子メールの内容を関係者記憶部２６（図９）に登録してフローを終了する。このようにして関係者情報が多数蓄積される。
【００７３】
次に、内部メール端末装置２３（図９）を用いてメール利用者から関係者の検索要求があった場合の動作について説明する。
ステップＳ３−９
メール利用者が内部メール端末装置２３（図９）のキーワード入力部２３−１（図９）を用いてキーワード「Ｗｅｂアプリケーション」のみを入力する（アドレスを入力しない）事によって関係者検索要求フローが開始される。
ステップＳ３−１０
検索キー受信部２７−３−１（図９）は、検索要求からキーワードを抽出して関係者検索部２７−３−２（図９）へ送る。
【００７４】
ステップＳ３−１１
関係者検索部２７−３−２（図９）は、キーワード「Ｗｅｂアプリケーション」を用いて関係者記憶部２６（図６）を検索し、求める関係者を検出できた場合にはステップＳ３−１２へ進み、求める関係者を検出できなかった場合にはフローを終了する。ここでは前提条件により図１０に示す情報（リスト）が検出される。
【００７５】
ステップＳ３−１２
ａｂｅ．ｃｃｃ．ｃｏ．ｊｐに対応付けられた単語に「Ｗｅｂアプリケーション」が含まれており、頻度も高いので関係者検索部２７−３−２（図９）によって、検索結果として選択される。
ステップＳ３−１３
関係者検索部２７−３−２（図９）は、図７に示す情報の抽出単語（頻度）を更新する。検索結果は、検索結果送信手段２７−４（図９）を経て内部メール端末装置２３（図６）へ返信される。
ステップＳ３−１４
内部メール端末装置２３（図９）は、返信された検索結果を表示部２３−２（図９）へ表示してフローを終了する。
【００７６】
次に請求項中の、情報中継手段、関係者情報生成手段、関係者情報検索手段、及び検索結果送信手段と本具体例による情報共有システムとのソフトウェア上での関連について説明する。
情報中継手段は、ＬＡＮ２４（図９）とインターネット回線２２（図９）間での情報中継を予め定められたコンピュータプログラムに従って制御部２７（図９）が実行するコンピュータ制御手段であってステップＳ３−２（図１２）が該当する。
関係者情報生成手段は、上記情報中継手段が中継した情報を解析して関係者情報を予め定められたコンピュータプログラムに従って生成する制御部２７（図９）が実行するコンピュータ制御手段であってステップＳ３−３、ステップＳ３−４、ステップＳ３−５、ステップＳ３−６、ステップＳ３−７、ステップＳ３−８（図１２）が該当する。
【００７７】
関係者情報検索手段２７−３は、内部メール端末装置２３（図９）を介して関係者の検索要求を受信すると予め定められたコンピュータプログラムに従って制御部２７（図９）が関係者記憶部２６（図９）を検索するコンピュータ制御手段であってステップＳ３−１０、ステップＳ３−１１、ステップＳ３−１２、ステップＳ３−１３、ステップＳ３−１４（図１２）が該当する。
【００７８】
上記、情報中継手段、関係者情報生成手段、関係者情報検索手段、及び検索結果送信手段は、予め定められたコンピュータプログラムとして所定のメモリ（図示していない）に格納されている。又これらの手段は、予め定められたコンピュータプログラムとしてコンピュータによる読み取り可能な記録媒体に格納しておくことも可能である。
更に、これらの制御手段を回路ブロックで構成して動作するようにしても良い。
【００７９】
尚、上記説明では、送受信される情報をメール情報に限定して説明したが、本発明は、この例に限定されるものではない。即ち、送受信される情報は、送受信者を特定できる情報であればどんな情報であっても良く、メール情報に限定されるものではない。
又、上記説明では、利用者が内部メール端末装置２３（図９）を用いて関係者情報を検索する場合の例として、利用者がＬＡＮ２４（図９）の内部からアクセスする場合の例に限定して説明したが、本発明は、この例に限定されるものではない。即ち、利用者は、インターネット回線２２（図９）からでも、あるいは又、アクセス中継装置２５（図９）に直接接続してでも検索要求端末装置（請求項中）を用いてアクセスすることが可能である。
【００８０】
〈具体例３の効果〉
以上説明したように、電子メール等、送受信した者を特定できる情報を中継し、該中継した情報を解析し、利用者が求めている内容の関係者情報を生成し、この関係者情報をメール利用者が共有できるデータベースに格納することによって、利用者は、求めている内容の関係者を容易に特定できるという効果を得る。
【００８１】
〈具体例４の構成〉
本具体例では、上記具体例１に記載する情報共有システムと、上記具体例３に記載する情報共有システムとを複合し、より一層適合性の高い検索結果を得ることを目的として以下のように構成する。
図１３は、具体例４のシステム構成図である。
本具体例の情報共有システムは、ネットワーク情報１−１〜１−ｎと、外部送受信端末装置４１と、インターネット回線２と、複数個の内部送受信端末装置４３と、ＬＡＮ（構内回線）４と、第一のアクセス中継装置３５と、第二のアクセス中継装置４５とを含む。以下に、具体例１又は具体例３との相違点のみについて説明する。具体例１又は具体例３と同一の構成部分に対しては、具体例１又は具体例３と同一の符号を付してある。
【００８２】
外部送受信端末装置４１は、インターネット回線２に接続され、送受信情報利用者に対して一定の領域（例えば同一社内）外からの情報送受信を可能にする端末装置である。
内部送受信端末装置４３は、ＬＡＮ（構内回線）４に接続され、利用者がネットワーク情報１−１〜１−ｎにアクセスし、その結果を受け入れると共に送受信情報利用者に対して一定の領域内から情報の送受信を可能にする端末装置である。更に、図示していないが内部送受信端末装置４３とＬＡＮ（構内回線）４との情報送受信に必要とされる他の部分（例えば通信部等）を有している。
【００８３】
第一のアクセス中継装置３５は、インターネット回線２と、ＬＡＮ（構内回線）４との間に接続して配置され、両ネットワーク間での情報中継を行い、該中継した情報を解析し、該解析結果を記憶し、内部送受信端末装置４３からネットワーク情報１−１〜１−ｎへアクセスするのを容易、且つ、迅速化させるためのアクセス情報の共有化を可能とする部分である。この目的を達成するために、複数個の個別参照先記憶部３６と、第一の制御部３７を有する。
【００８４】
個別参照先記憶部３６は、上記複数個の内部送受信端末装置４３、又は、利用者の各々毎にネットワーク情報にアクセスした共有アクセス情報を記憶するデータベースである。このデータベースに格納されている共有アクセス情報は、図２を用いて説明した具体例１と全く同様なので説明を省略する。尚、各個別参照先記憶部３６と複数個の内部送受信端末装置４３各々との関連はＩＰアドレスで、各利用者との関連は各利用者のログインＩＤによって関連付けられる。但し、内部送受信端末装置４３を用いる利用者が固定されている場合にはＩＰアドレスのみで関連付けても良い。
第一の制御部３７は、アクセス中継手段７−１、アクセス情報生成手段３７−２、共有アクセス情報検索手段３７−３、検索結果送信手段７−４の各制御手段を有して第一のアクセス中継装置３５を制御するＣＰＵ（中央演算処理装置）である。
【００８５】
アクセス情報生成手段３７−２は、共有アクセス情報を生成する手段であり、その内部にアクセス解析部３７−２−１と、単語抽出部７−２−２と、ユーザ特定部３７−２−３とを備える。アクセス解析部３７−２−１は、アクセス中継手段７−１からネットワーク情報１−１〜１−ｎのアドレス、その内容、及びアクセス要求を行った内部送受信端末装置４３のＩＰアドレス等を受け入れる手段である。ユーザ特定部３７−２−３は、アクセス解析部３７−２−１からアクセス要求を行った内部送受信端末装置４３のＩＰアドレス等を受け入れて所定の個別参照先記憶部３６を選択する部分である。
【００８６】
共有アクセス情報検索手段３７−３は、第二のアクセス中継装置４５からキーワードと、個別参照先記憶部３６と内部送受信端末装置４３（又は利用者）とを関連付けるＩＰアドレス等を受け入れて、利用者に関連する個別参照先記憶部３６を選択し、共有アクセス情報を検索する部分である。
【００８７】
第二のアクセス中継装置４５、インターネット回線２と、ＬＡＮ（構内回線）４との間に接続して配置され、両ネットワーク間での送受信情報の中継を行い、該中継した送受信情報を解析し、該解析結果を記憶し、利用者が内部送受信端末装置４３から自己が求めている内容に関連し、その内容に精通していると思われる関係者を検出するための関係者情報の共有化を可能とする部分である。この目的を達成するために、関係者記憶部２６と、第二の制御部４７を有する。
【００８８】
第二の制御部４７は、情報中継手段２７−１、関係者情報生成手段２７−２、関係者情報検索手段４７−３、の各制御手段を有して第二のアクセス中継装置４５を制御するＣＰＵ（中央演算処理装置）である。関係者情報検索手段４７−３は、内部送受信端末装置４３から関係者の検索要求を受信すると、その要求内容について関係者記憶部２６を検索する部分であり、検索キー受信部２７−３−１と関係者検索部４７−３−２とを備える。関係者検索部４７−３−２は、受け入れたキーワードと関係者記憶部２６に格納されている抽出単語２６−２（図１０）とを照合し、関係者のアドレス（電子メールアドレス２６−１（図１０））を検索する部分であり、関係者のアドレスを検出できた場合には、そのアドレスとアクセス頻度の高い単語を読み出して上記関係者検索部４７−３−２へ送出する部分である。他の構成部分は具体例１又は具体例３に記載の構成部分と全く同様なので説明を省略する。
【００８９】
〈具体例４の動作〉
図１４は、具体例４の動作のフローチャートである。
前提条件として利用者が検索サイト（アドレスは「ｈｔｔｐ：／／ｗｗｗ．ＳＳＳ．ｃｏ．ｊｐ／ｓｅａｒｃｈ．ｃｇｉ？」）へ「Ｗｅｂプログラミング」をキーとして情報検索を実行するものとする。
又、関係者記憶部２６（図１３）には、電子メールアドレスａｂｅ．ｃｃｃ．ｃｏ．ｊｐが図１０の内容で記憶されているものとする。
【００９０】
ステップＳ４−１
利用者Ａが内部送受信端末装置４３（図１３）のキーワード入力部３−１（図１３）を用いて検索サイトのアドレス、「ｈｔｔｐ：／／ｗｗｗ．ＳＳＳ．ｃｏ．ｊｐ／ｓｅａｒｃｈ．ｃｇｉ？」とキーワード「Ｗｅｂプログラミング」を入力する事によってフローが開始される。ここで入力された情報は、情報中継手段２７−１（図１３）とアクセス中継手段７−１（図１３）へ送出される。
【００９１】
最初に検索要求がアクセス中継手段７−１（図１３）へ送出され、ステップＳ４−２へ進んだフローについて説明する。
ステップＳ４−２
アクセス要求が、ＬＡＮ４（図１３）、アクセス中継手段７−１（図１３）、インターネット回線２（図１３）を通り、検索サイト「ｈｔｔｐ：／／ｗｗｗ．ＳＳＳ．ｃｏ．ｊｐ／ｓｅａｒｃｈ．ｃｇｉ？」（ネットワーク情報（１−１〜１−ｎの何れか）（図１３））へ送られる。
ステップＳ４−８
検索サイト「ｈｔｔｐ：／／ｗｗｗ．ＳＳＳ．ｃｏ．ｊｐ／ｓｅａｒｃｈ．ｃｇｉ？」（ネットワーク情報（１−１〜１−ｎの何れか））（図１３）は、キーワード「Ｗｅｂプログラミング」に基づいて、格納されている情報を検索する。
【００９２】
ステップＳ４−９
検索サイト「ｈｔｔｐ：／／ｗｗｗ．ＳＳＳ．ｃｏ．ｊｐ／ｓｅａｒｃｈ．ｃｇｉ？」（ネットワーク情報（１−１〜１−ｎの何れか））（図１３）は、検索結果（一例として図７の検索サイト情報７−１）をアクセス中継手段７−１（図１３）を介してアクセス解析部３７−２−１（図１３）へ送出する。
ステップＳ４−１０
ユーザ特定部３７−２−３（図１３）は、アクセス解析部３７−２−１（図１３）を介して受け入れた、アクセス要求を行った内部送受信端末装置４３（図１３）のＩＰアドレス等（利用者のメールアドレスであっても良い）に基づいて個別参照先記憶部３６（図１３）の中から所定のデータベースを選択する。
ステップＳ４−１１
アクセス解析部３７−２−１（図１３）は、検索結果（一例として図７の検索サイト情報７−１）の各々について、選択された個別参照先記憶部３６（図１３）を検索する。
【００９３】
ステップＳ４−１２
アクセス解析部３７−２−１（図１３）は、上記検索結果と同一アドレスが既に選択された個別参照先記憶部３６（図１３）に登録されている場合にはステップＳ４−１３へ進み、同一アドレスが未だ個別参照先記憶部３６（図１３）に登録されていない場合にはステップＳ４−１４へ進む。
ステップＳ４−１３
個別参照先記憶部３６（図１３）に登録されているので、アクセス解析部３７−２−１（図１３）が、重要度６−２（図２）を更新してフローを終了する。
【００９４】
ステップＳ４−１４
同一アドレスが未だ個別参照先記憶部３６（図１３）に登録されていないので、アクセス解析部３７−２−１（図１３）が、そのアドレスをアドレス６−１（図２）へ登録する。
ステップＳ４−１５
単語抽出部７−２−２は、検索サイトの検索結果からキーワードとなりうる単語を抽出し、登録されたアドレスに対応させて格納しフローを終了する。
【００９５】
次に、検索要求が情報中継手段２７−１（図１３）へ送出され具体例３のステップＳ３−１０（図１２）へ進んだフローについて説明する。
ここでは、既に、関係者ａｂｅ．ｃｃｃ．ｃｏ．ｊｐが、図１０に示すように、既に関係者記憶部２６（図１３）に登録されているものとする。
【００９６】
ステップＳ４−３
具体例３のステップＳ３−１０（図１２）〜ステップＳ３−１３（図１２）を通って参照先検出部７−３−２（図１３）へ関係者検索部４７−３−２（図１３）から関係者情報（アドレスａｂｅ．ｃｃｃ．ｃｏ．ｊｐとキーワード「Ｗｅｂプログラミング」）が送出されてくる。参照先検索部７−３−２（図１０）は、このアドレス（ａｂｅ．ｃｃｃ．ｃｏ．ｊｐ）に基づいて該当する個別参照先記憶部３６（図１３）を選択する。
ステップＳ４−４
参照先検索部７−３−２（図１３）は、キーワード「Ｗｅｂプログラミング」を用いて、選択された個別参照先記憶部３６（図１３）を検索する。
【００９７】
ステップＳ４−５
参照先検索部７−３−２（図１３）は、検索できた場合には、ステップＳ４−６へ進み、検索できなかった場合にはフローを終了する。ここでは、個別参照先記憶部３６（図１３）には図２に示す情報が格納されており、その最下段には「Ｗｅｂプログラミング」が含まれており、且つ、重要度も高いので検索結果としてｈｔｔｐ：／／ｗｗｗ．ＡＡＡ．ｎｅ．ｊｐ／￣ａａａ／ｉｎｄｅｘ．ｈｔｍｌが検出されてステップＳ４−６へ進む。
【００９８】
ステップＳ４−６
検索結果送信手段７−４（図１３）は、参照先検索部７−３−２（図１３）から、検索結果を受け入れて内部送受信端末装置４３（図１３）へ返信する。ここで検索結果送信手段７−４（図１３）は、参照先検索部７−３−２（図１３）からの検索結果のみならず、ネットワーク情報をも追加して内部送受信端末装置４３（図１３）へ返信しても良い（図中の点線）。
ステップＳ４−７
内部送受信端末装置４３（図１３）は、検索結果を表示部３−２（図１３）に表示してフローを終了する。
【００９９】
〈具体例４の効果〉
以上説明したように、具体例１の構成と具体例３の構成とを組み合わせることによって、ＬＡＮ内で特に、所定のキーワードについて詳しい人がよく見る情報に絞られた共有アクセス情報を得ることができる。即ち、専門外の人によるアクセス情報を排除することができるのでより有効な共有アクセス情報を得ることができるという効果を得る。
【０１００】
以上説明した本発明による情報共有システムを用い、検索機能をグループの外部に開放することにより、グループ内に居る、あるキーワードに対する適任者の情報を外部に提供することも可能になる。この場合に、グループ外からの検索者にとっては、問い合わせるべき組織さえ分かれば、担当者までは分からなくても目的を達成することが可能になる。
【０１０１】
【発明の効果】
以上説明したように所定の領域内で複数個の利用者端末装置を接続するＬＡＮと多数のネットワーク情報を有する公衆回線網との間にアクセス中継装置を配置することによって、例えば利用者Ｂが、ＬＡＮ内で「Ｗｅｂプログラミング」に必要なページを見つけて頻繁に利用している場合には、同一ＬＡＮ内の利用者Ａは、「Ｗｅｂプログラミング」について検索したことがない場合であっても、同一ＬＡＮ内で利用者Ｂによって、よく利用されているページがあることを知る。その結果、インターネット上の検索サイトから得られた情報のアドレスを一つ一つ確認することなく有用な情報を得ることができるという効果を得る。
【図面の簡単な説明】
【図１】具体例１のシステム構成図である。
【図２】参照先記憶部の説明図である。
【図３】具体例１の共有アクセス情報の収集動作のフローチャートである。
【図４】検索サイトでの検索結果の説明図である。
【図５】具体例１の検索動作のフローチャートである。
【図６】具体例２のシステム構成図である。
【図７】共有アドレス情報が合成されたネットワーク情報の一例である。
【図８】具体例２の動作のフローチャートである。
【図９】具体例３のシステム構成図である。
【図１０】関係者記憶部の説明図である。
【図１１】関係者情報生成手段の説明図である。
【図１２】具体例３の動作のフローチャートである。
【図１３】具体例４のシステム構成図である。
【図１４】具体例４の動作のフローチャートである。
【符号の説明】
１−１〜１−ｎ  ネットワーク情報
２  インターネット回線
３  利用者端末装置
３−１  キーワード入力部
３−２  表示部
４  ＬＡＮ
５  アクセス中継装置
６  参照先記憶部
７  制御部
７−１  アクセス中継手段
７−２  アクセス情報生成手段
７−２−１  アクセス解析部
７−２−２  単語抽出部
７−３  共有アクセス情報検索手段
７−３−１  検索キー受信部
７−３−２  参照先検索部
７−４  検索結果送信手段
【図１】
2004348516.tif 000003
【図２】
2004348516.tif 000004
【図３】
2004348516.tif 000005
【図４】
2004348516.tif 000006
【図５】
2004348516.tif 000007
【図６】
2004348516.tif 000008
【図７】
2004348516.tif 000009
【図８】
2004348516.tif 000010
【図９】
2004348516.tif 000011
【図１０】
2004348516.tif 000012
【図１１】
2004348516.tif 000013
【図１２】
2004348516.tif 000014
【図１３】
2004348516.tif 000015
【図１４】
2004348516.tif 000016